(57)【要約】      （修正有）【課題】従来の構成が大幅に変更されることなく、通信端末にかかわる操作性の改善に併せて、好適なインタネット接続環境を実現する。【解決手段】方路選択装置は、異なるコンピュータ網に個別に至る複数の方路の内、配下のコンピュータ網から与えられるパケットの宛先アドレスに対応した特定の方路にパケットを転送する。方路選択装置は、複数の方路の内、異なるコンピュータ網の個々の属性で定まり、かつ特定の方路を代替し得る代替方路を得る代替方路取得手段と、前記代替方路に適した整合を前記宛先アドレスに施し、前記パケットを前記代替方路に転送する代替転送手段とを備える。【選択図】図１
2013223021.tif 000002
【特許請求の範囲】
【請求項１】
異なるコンピュータ網に個別に至る複数の方路の内、配下のコンピュータ網から与えられるパケットの宛先アドレスに対応した特定の方路に、前記パケットを転送する方路選択装置であって、
前記複数の方路の内、前記異なるコンピュータ網の個々の属性で定まり、かつ前記特定の方路を代替し得る代替方路を得る代替方路取得手段と、
前記代替方路に対する整合を前記宛先アドレスに施し、前記パケットを前記代替方路に転送する代替転送手段と
を備えたことを特徴とする方路選択装置。
【請求項２】
請求項１に記載の方路選択装置において、
前記代替方路に対する整合は、
前記異なるコンピュータ網の内、前記代替方路を介して接続されるコンピュータ網に適したアドレス解決である
ことを特徴とする方路選択装置。
【請求項３】
請求項１または請求項２に記載の方路選択装置において、
前記パケットは、
前記配下のコンピュータ網に収容された通信端末によって個別に与えられ、
前記代替転送手段は、
前記パケットの送信元である通信端末の代理として前記パケットを前記代替方路に転送する
ことを特徴とする方路選択装置。
【請求項４】
請求項１ないし請求項３の何れか１項に記載の方路選択装置において、
前記特定の方路に転送されるパケットに、前記特定の方路に適したアドレス解決を施すアドレス解決手段を備えた
ことを特徴とする方路選択装置。
【発明の詳細な説明】
【技術分野】
【０００１】
本発明は、異なる個々のコンピュータ網に至る複数の方路の内、配下のコンピュータ網から与えられるパケットの宛先アドレスに対応した特定の方路に、そのパケットを転送する方路選択装置に関する。
【背景技術】
【０００２】
急速に普及したインタネットは、高度に進展した高速の無線伝送技術が適用されることにより、屋内だけではなく、自動車等の移動体においてもアクセス可能となり、このような移動体に設けられた多様な機器の機能や性能の発揮のためにも、積極的に適用されつつある。
【０００３】
図５は、船舶にインタネット環境を提供する船内ネットワークシステムの構成例を示す図である。
図において、該当する船舶に搭載されたパソコン５１-1〜５１-nは、プロキシサーバ５２の対応するポートに接続される。プロキシサーバ５２はルータ５３の第一のポートに接続され、そのルータ５３の第二ないし第四のポートは、以下の要素にそれぞれ接続される。
【０００４】
(1) 経路監視部５４
(2) ＦＢＢ(Fleet Broard Band)回線制御部５５
(3) ＬＡＮ５６
ＬＡＮ５６には、外部通信装置５７が接続される。
【０００５】
ＦＢＢ回線制御部５５は、インマルサット衛星との間に形成された無線伝送路を介して、インマルサット回線系６０に接続される。このようなインマルサット回線系６０には、ＩＰ網６１と、そのＩＰ網６１に接続されたＤＮＳ(Domain Name System)サーバ６２とが備えられる。
【０００６】
一方、上記外部通信装置５７は、ＶＳＡＴ(Very Small Aperture Terminal)、WＩＭＡＸ(Worldwide
Interoperability for Microwave Access )、無線ＬＡＮ等の外部通信回線を介して外部通信回線系７０に接続される。このような外部通信回線系７０には、ＩＰ網７１と、そのＩＰ網７１に接続されたＤＮＳ(Domain Name System)サーバ７２とが備えられる。
【０００７】
上記インマルサット回線系６０および外部通信回線系７０は、インタネット８０のAS（Autonomous System：自律システム）として、そのインタネット８０に接続される。
【０００８】
このような構成の通信系では、経路監視部５４は、ルータ５３、ＬＡＮ５６および外部通信装置５７を介して外部通信回線系７０に接続され、ＩＰアドレスが既知であるサーバ（ここでは、既述のＤＮＳサーバ７２であると仮定する。）に、所定の周期（頻度）で、ＩＣＭＰ(Internet Control Message Protocol)に準拠したＰＩＮＧ（以下、「エコー要求」という。）を送信する（図６(1))。
【０００９】
ＤＮＳサーバ７２は、その「エコー要求」を識別するとその旨を意味する「エコー応答」を送信し（図６(2))、その「エコー応答」は、ＩＰ網７１、外部通信装置５７、ＬＡＮ５６およびルータ５３を介して経路監視部５４に引き渡される（図６(3))。
【００１０】
経路監視部５４は、上記「エコー応答」に応じて、下記の処理を行う。
(1) 「エコー応答」が所定の確度で識別されている場合には、その旨を示す優先フラグＦｐを「１」に設定するが、反対に識別できない場合には、その優先フラグＦｐを「０」に設定する（図６(4))。
(2) このような優先フラグＦｐの論理値を含むパケットをルータ５３に引き渡す（図６(5))。
【００１１】
一方、パソコン５１-1〜５１-nの内、例えば、インタネット８０上の所望のウェブサーバ（ウェブサイト）にアクセスしようとする特定のパソコン（以下、パソコン５１-1〜５１-nの何れにも該当し得ることを意味する添え文字「ｃ」が添え番号「１」〜「ｎ」に代えて付加された符号「５１-c」を付して示す。）では、所定のブラウザが起動される（図６(6))。
【００１２】
このブラウザには、該当するウェブサーバ（ウェブサイト）に割り付けられ、かつ以下の項目の好適な組み合わせを含んでなるＵＲＬ(Uniform Resource Locator)がユーザによって設定される（図６(7))。
【００１３】
(1) 上記アクセスに適用されるべき通信プロトコル（例えば、ＨＴＴＰ(HyperText Transfar Protocol)やＦＴＰ(File Transfer
Protocol)）の識別子
(2) 該当するウェブサーバ（ウェブサイト）上にあり、かつ参照の対象となるディレクトリやフォルダの階層構造および識別子
(3) 該当するウェブサーバにおいて行われるべき処理の形態や手順
【００１４】
なお、上述したＵＲＬは、船内ネットワークシステム内のローカルアドレスであって、インマルサット回線系６０と外部通信回線系７０との何れか一方と、インタネット８０とに適応したグローバルＩＰアドレスにマッピング可能であるＩＰアドレスで代替されてもよい。
【００１５】
パソコン５１-c（ブラウザ）は、このようなＵＲＬを含んだパケットをプロキシサーバ５２宛に送信する（図６(8))。
プロキシサーバ５２は、予め組み込まれたルーティング情報に基づいて、以下の処理を行う。
【００１６】
(1) 上記ＵＲＬのアドレス解決を図り、その結果として得られたＩＰアドレスを取得する（図６(9))。
(2) 既述のパケットに含まれるＵＲＬを上記ＩＰアドレスで置換する（図６(10))。
(3) このような置換の結果として得られたパケットをルータ５３に引き渡す（図６(11))。
【００１７】
なお、上記アドレス解決のために参照されるべきルーティング情報については、プロキシサーバ５２は、そのプロキシサーバ５２に組み込まれたルーティング情報が不足であることを識別すると、後述するように、優先フラグＦｐの論理値に応じて選択される外部通信回線系７０（ＤＮＳサーバ７２）またはインマルサット回線系６０（ＤＮＳサーバ６２）と適宜ルータ５３を介して連係することにより、取得する。
【００１８】
ここに、ルータ５３は、ＡＤＳＬ(Asymmetric
Digital Subscriber Line)、ＦＴＴＨ(Fiber To The Home)、無線ＬＡＮ、WＩＭＡＸ(Worldwide Interoperability for Microwave Access )等の一般的なインターネットアクセス回線に適用可能なルータであって、配下のパソコン５１-1〜５１-n等によって発せられたＤＮＳクエリをＤＮＳサーバ６２（７２）に中継する機能を有し、以下の点で望ましい利点がある。
【００１９】
(1) パソコン５１-1〜５１-nには、インタネット側にあるＤＮＳサーバのＩＰアドレスがユーザによって設定されなくても、ＩＰアドレス等の通信制御に必要な情報がＤＨＣＰ(Dynamic Host Configuration Protocol)により自動的に割り付けられ、あるいは手動で設定されてもよい。
【００２０】
(2) ルータ５３がＤＮＳキャッシュ機能を有する場合には、インマルサット回線系６０（ＤＮＳサーバ６２）や外部通信回線系７０（ＤＮＳサーバ７２）に対してＤＮＳクエリを送信すべき頻度が低く抑えられる。
【００２１】
ルータ５３は、以下に列記されるようにインマルサット回線系６０と外部通信回線系７０との何れか一方を選択し（図６(12))、かつインタネット８０と連係することにより、既述のウェブサーバ（ウェブサイト）に、このようにして引き渡されたパケットを引き渡す（図６(13))。
【００２２】
(1) 優先フラグＦｐの論理値が「１」である場合には、ＬＡＮ５６および外部通信装置５７を介して外部通信回線系７０
(2) 優先フラグＦｐの論理値が「０」である場合には、ＦＢＢ回線制御部５５を介してインマルサット回線系６０
【００２３】
なお、このようなパケットの引き渡しは、ＩＰ網７１（６１）は、ＤＮＳサーバ７２（６２）が行うアドレス解決の下で実現される。
したがって、パソコン５１-cは、ユーザによって設定されたＵＲＬが以下の何れか一方に該当するならば、インタネット８０上にある所望のウェブサーバ（ウェブサイト）にアクセスすることができる。
【００２４】
(1) 優先フラグＦｐの論理値が「１」である場合には、外部通信回線系７０に備えられたＤＮＳサーバ７２によるアドレス解決が可能なＵＲＬ
(2) 優先フラグＦｐの論理値が「０」である場合には、インマルサット回線系６０に備えられたＤＮＳサーバ６２によるアドレス解決が可能であるＵＲＬ
【００２５】
また、このような従来例では、経路監視部５４によって既述の手順に基づいて行われる監視の下で外部通信回線系７０が正常に稼働している状態においては、パソコン５１-1〜５１-nの何れにおいても、ユーザによって設定されたＵＲＬが適切であるならば、インタネット８０に対するアクセスには、一般に、通信料が高くて必ずしも伝送速度が十分に高いとは限らないインマルサット回線系６０は適用されない。
【００２６】
なお、本発明に関連する先行技術として、以下に列記する特許文献１ないし特許文献４がある。
【００２７】
(1) 「第１のネットワーク上の任意のユーザ端末から第２のネットワーク上の任意のサービス提供者へのアクセスの切替サービスを提供するサーバ装置と前記第１のネットワーク上の任意のユーザ端末との間の通信を中継するためのアクセス装置であって、前記第１のネットワーク上のユーザ端末を特定する情報と、当該ユーザ端末が関連付けられたサービス提供者との組合わせを記憶するための記憶手段と、前記第１のネットワーク上のユーザ端末から受信した通信パケットから、当該通信パケットの送信元情報を抽出し、前記記憶手段に当該送信元情報を含む組合わせが記憶されているか否かを判定するための判定手段と、前記判定手段により当該組合わせが記憶されていると判定されたことに応答して、前記記憶手段を参照して、前記受信した通信パケットの送信元情報と関連付けられているサービス提供者を決定し、前記受信した通信パケットを前記サーバ装置を介して当該サービス提供者に転送するための転送手段と、前記第１のネットワーク上のユーザ端末から受信した、前記記憶手段への登録を要求する通信パケットに応答して、前記登録を要求する通信パケットに含まれる送信元情報を抽出して前記記憶手段に対する新たな組合わせを登録する処理を行なうための登録手段とを含み、前記送信元情報は、前記受信した通信パケットの送信元のユーザ端末の前記第１のネットワーク上のアドレスと、前記受信した通信パケットの送信元のユーザ端末のネットワークインタフェースに一意に割当てられているメディアアクセスコントローラアドレスとの組合わせを含み、前記判定手段により、前記第１のネットワーク上のユーザ端末から受信した通信パケットから抽出された送信元情報を含む組合わせが前記記憶手段に記憶されていないと判定されたことに応答して、当該通信パケットを送信してきたユーザ端末に対して、前記登録手段を用いた登録処理を実行するように促すための予め定められた処理を行うための手段をさらに含む」ことにより、「ユーザにかかる負担を少なくしながら、安定してＰＰＰｏＥサービスを利用できるようにするアクセス装置および方法、ならびにコンピュータをアクセス装置として動作させる」点に特徴があるアクセス装置…特許文献１
【００２８】
(2) 「ＤＮＳサーバと複数の無線接続装置とを有する、陸上に構築された陸上ネットワークと、前記陸上ネットワークの無線接続装置と無線回線で接続された、艦船に構築された艦船ネットワークとを備える無線通信システムであって、前記陸上ネットワークの端末から前記艦船ネットワークの端末にメールを送信するとき、前記陸上ネットワークの端末において、宛先である前記艦船ネットワークの端末のメールアドレスのドメインに、ユーザが指定した使用する無線接続装置を表すサブドメインを追加してメールを送信し、前記陸上ネットワークのＤＮＳサーバは、前記サブドメインが追加されているメールアドレスについて、当該サブドメインによって表される無線接続装置のＩＰアドレスを返す名前解決を行い、前記陸上ネットワークの無線接続装置は、自己を表すサブドメインが追加されたメールを受信すると、当該受信したメールのアドレスから当該サブドメインを削除した上で、当該受信したメールを無線で前記艦船ネットワークに転送する」ことにより、「２つのＴＣＰ／ＩＰネットワークを低速半２重無線回線で接続し、メール送受信やＷｅｂアクセスの応答性を改善する」点に特徴がある無線通信システム…特許文献２
【００２９】
(3) 「利用者端末とネットワークの接続サービスを提供する複数のネットワーク接続サービス業者と、利用者端末との接続を制御するネットワーク接続制御方法において、複数のネットワークアドレスとネットワーク接続サービス業者との対応を示す接続先制御情報を利用者が予め登録する処理と、利用者がネットワーク接続サービス業者を利用してネットワークへ接続中に指定したネットワークアドレスに対応するネットワーク接続サービス業者を前記接続先制御情報より検索する処理と、利用中のネットワーク接続サービス業者との接続を切断し、検索したネットワーク接続サービス業者へ接続する接続制御処理とを有する」ことにより、「利用者が指定したＵＲＬやドメイン名を参照して自動で接続先のプロバイダもしくはＶＰＮを切替える」点に特徴があるネットワーク接続制御方法…特許文献３
【００３０】
(4) 「ネットワークと情報処理装置との間の複数の通信経路のうちいずれか一つを使用する通信経路として選択する通信経路切替方法において、前記複数の通信経路のうちいずれか一つの通信経路の状態が変化したことを示す情報を受信する経路情報受信工程と、前記経路情報受信工程で前記情報が受信された場合に、前記複数の通信経路のうちいずれか一つを使用する通信経路として選択する経路選択工程と、前記情報処理装置のドメイン名と対応づけてＤＮＳサーバに保持されているグローバルアドレスを前記経路選択工程で選択された通信経路に割り当てられたグローバルアドレスに書き換えるアドレス書き換え工程とを含む」ことにより、「相互に独立した個々の通信経路の状態に応じて使用する経路を動的かつ効率的に切り替えることで、ネットワークからサーバまでの通信路を常に確保することが可能となる」点に特徴がある通信経路切替方法…特許文献４
【００３１】
(5) 「第１のＩＰアドレスが付与された第１の回線を介して、ＩＰ網との間でパケットの送受信を行う過程と、ＤＮＳサーバに対して、前記第１のＩＰアドレスと所定のドメイン名とを対応付けるように第１のリクエストを送信する過程と、前記第１の回線に障害が生じているか否かを監視する過程と、前記第１の回線に障害が生じたことを条件として、前記ＤＮＳサーバに対して、第２のＩＰアドレスと前記ドメイン名とを対応付けるように第２のリクエストを送信する過程と前記第２のＩＰアドレスが付与された第２の回線を介して、前記ＩＰ網との間でパケットの送受信を行う過程とを有する」ことにより、「一部の回線に障害が生じた時に、回線の切り換えとＤＮＳデータベースへの登録とを自動的に行うことができる」点に特徴がある回線制御方法…特許文献５
【先行技術文献】
【特許文献】
【００３２】
【特許文献１】特許４５９０７６５号公報
【特許文献２】特許４４９８０１７号公報
【特許文献３】特開２００２−０４４０７６号公報
【特許文献４】特開２００３−２７３９０５号公報
【特許文献５】特開２００４−２８２２８６号公報
【発明の概要】
【発明が解決しようとする課題】
【００３３】
ところで、上述した従来例では、パソコン５１-c（ブラウザ）には外部通信回線系７０に適応したＵＲＬが設定されているにもかかわらず、外部通信回線系７０ではなくインマルサット回線系６０を介してそのパソコン５１-cにインタネット環境を提供する可能性がある。
【００３４】
このような場合には、パソコン５１-cによってアクセスされるべきウェブページ（ウェブサービス）がインタネット８０上にあっても、ＤＮＳサーバ６２が上記ＵＲＬのアドレス解決を正常に行えるとは限らず、しかも、インマルサット回線系６０に対する無用なアクセスにより課金される可能性があった。
【００３５】
また、このような場合であっても上記アドレス解決が正常に行われるためには、パソコン５１-c（ブラウザ）に設定されるべきＵＲＬは、インマルサット回線系６０を介する上記ウェブページ（ウェブサービス）へのアクセスに適した異なるＵＲＬでなければならなかった。
【００３６】
したがって、従来例では、船内ネットワークシステムに設けられたパソコン５１-1〜５１-nの何れにおいても、ＵＲＬの選択や設定にかかわる操作性が煩雑であった。
【００３７】
本発明は、従来の構成が大幅に変更されることなく、通信端末の操作性の改善に併せて、好適なインタネット接続環境を実現できる方路選択装置を提供することを目的とする。
【課題を解決するための手段】
【００３８】
請求項１に記載の発明では、異なるコンピュータ網に個別に至る複数の方路の内、配下のコンピュータ網から与えられるパケットの宛先アドレスに対応した特定の方路に、前記パケットを転送する方路選択装置において、代替方路取得手段は、前記複数の方路の内、前記異なるコンピュータ網の個々の属性で定まり、かつ前記特定の方路を代替し得る代替方路を得る。代替転送手段は、前記代替方路に対する整合を前記宛先アドレスに施し、前記パケットを前記代替方路に転送する。
【００３９】
すなわち、配下のコンピュータ網から与えられたパケットの転送の経路となる方路は、異なるコンピュータ網に個別に至る複数の方路の内、属性が所定の要件を満たす代替方路で適宜代替される。
【００４０】
請求項２に記載の発明では、請求項１に記載の方路選択装置において、前記代替方路に対する整合は、前記異なるコンピュータ網の内、前記代替方路を介して接続されるコンピュータ網に適したアドレス解決である。
【００４１】
すなわち、配下のコンピュータ網から与えられたパケットの転送の経路となる方路は、異なるコンピュータ網に個別に至る複数の方路の内、属性が所定の要件を満たし、かつアドレス解決の正常な実現が可能である代替方路で適宜代替される。
【００４２】
請求項３に記載の発明では、請求項１または請求項２に記載の方路選択装置において、前記パケットは、前記配下のコンピュータ網に収容された通信端末によって個別に与えられる。前記代替転送手段は、前記パケットの送信元である通信端末の代理として前記パケットを前記代替方路に転送する。
【００４３】
すなわち、本発明に係る方路選択装置では、配下のコンピュータ網に収容された通信端末が複数ある場合であっても、これらの通信端末が送信元に該当する個々のパケットは、好適な代替方路を介して宛先に転送される。
【００４４】
請求項４に記載の発明では、アドレス解決手段は、請求項１ないし請求項３の何れか１項に記載の方路選択装置において、前記特定の方路に転送されるパケットに、前記特定の方路に適したアドレス解決を施す。
【００４５】
すなわち、配下のコンピュータ網に収容された通信端末によって送信されたパケットは、代替方路を介して転送されない場合には、本来的に適用されるべき特定の方路に整合したアドレス解決が施された後に、その特定の方路に転送される。
【発明の効果】
【００４６】
本発明によれば、パケットは、宛先アドレスが変更されることなく、その宛先アドレスで示される宛先との間に経路を形成可能な方路を介して転送される。
【００４７】
また、本発明では、上記パケットは、宛先アドレスが変更されなくても、所定の通信制御に組み込まれたアドレス解決という標準的な処理の下で、該当する宛先アドレスで示される宛先との間に経路を形成可能な方路を介して転送される。
【００４８】
さらに、本発明は、配下に複数または多数の通信端末が収容されたコンピュータ網にも、柔軟に適用可能となる。
【００４９】
また、本発明では、上記パケットは、宛先アドレスが変更されなくても、特定の方路に適用されるべき通信制御の過程におけるアドレス解決という標準的な処理の下で、宛先との間に該当する特定の方路を介して形成された経路を介して転送される。
【００５０】
したがって、本発明が適用されたネットワークでは、通信端末の操作性が向上し、かつ異なる複数のネットワークに対するアクセスに供されるアクセスネットワークの選定が確度高く円滑に実現されると共に、付加価値および性能が総合的に高められる。
【図面の簡単な説明】
【００５１】
【図１】本発明の一実施形態を示す図である。
【図２】本実施形態の動作を説明する図である。
【図３】本実施形態においてプロキシサーバが行う処理の手順を示すフローチャートである。
【図４】本実施形態においてプロキシサーバに備えられたルーティングテーブルの構成を示す図である。
【図５】船舶にインタネット環境を提供する船内ネットワークシステムの構成例を示す図である。
【図６】従来の船内ネットワークシステムの動作を説明する図である。
【発明を実施するための形態】
【００５２】
以下、図面に基づいて本発明の実施形態について詳細に説明する。
図１は、本発明の一実施形態を示す図である。
図において、図５に示すものと機能および構成が同じものについては、同じ符号を付与し、ここでは、その説明を省略する。
【００５３】
本実施形態と図５に示す従来例との構成の相違点は、プロキシサーバ５２に代えてプロキシサーバ１１が備えられた点にある。
図２は、本実施形態の動作を説明する図である。
【００５４】
図において、図６に示す処理と同じ処理については、同じ番号を付与し、以下では、その詳細な説明を省略する。
図３は、本実施形態においてプロキシサーバが行う処理の手順を示すフローチャートである。
【００５５】
以下、図１ないし図３を参照して本実施形態の動作を説明する。
本発明の特徴は、本実施形態では、プロキシサーバ１１が後述するように経路監視部５４およびルータ５３と連係して行う処理の手順にある。
【００５６】
プロキシサーバ１１は、図４に示すように、以下の情報がそれぞれ格納されるフィールドの組み合わせからなるレコードの列として構成されたルーティングテーブル１１Ｔを有する。
【００５７】
(1) 既述の優先フラグＦｐの論理値（すわち、外部通信回線系７０とインマルサット回線系６０との何れを介してパソコン５１-cに対するインタネット環境の提供が行われるべきかを示す）に値が等しいときに、参照されるべきレコードであることを意味する「ｆｐフラグ」
【００５８】
(2) パソコン５１-c（ブラウザ）に設定されたＵＲＬとの相関の対象となり、かつそのＵＲＬのアドレス解決のために参照されるべきレコードであることを意味する「ｕｒｌ」
【００５９】
(3) 共通のレコード上において、優先フラグＦｐのカレント値に「ｆｐフラグ」フィールドの値が一致し、かつパソコン５１-c（ブラウザ）に設定されたＵＲＬが「ｕｒｌ」フィールドの値に対して所定の相関性を有するときに、そのＵＲＬのアドレス解決に適用されるべき「ルーティング情報ｒｉ」
なお、上記「ルーティング情報ｒｉ」は、アドレス解決として特段の処理が行われる必要がないことを示し得る。
【００６０】
本実施形態では、プロキシサーバ１１は、各部と以下の通りに連係する。
【００６１】
経路監視部５４は、従来例と同様に、外部通信回線系７０に配置されたＤＮＳサーバ７２と連係する（図２(1)〜(3))ことにより、その外部通信回線系７０が正常に稼働しているか否かの判別を行い、その判別の結果を優先フラグＦｐの論理値として記録する（図２(4))と共に、ルータ５３に引き渡す（図２(5))。
【００６２】
一方、パソコン５１-cは、起動されたブラウザに設定され（図２(6)，(7))、かつ所望のウェブサイト（ウェブサービス）に付与されたＵＲＬを含んだパケットをプロキシサーバ１１宛に送信する（図２(8))。
【００６３】
プロキシサーバ１１は、以下の処理を行う。
(1) ルーティングテーブル１１Ｔのレコードの内、以下の要件の全てを満たす特定のレコードを抽出する（図２(a)，図３ステップＳ１)。
(1-1) 「ｆｐフラグ」フィールドの値が優先フラグＦｐの論理値に一致する。
(1-2) 「ｕｒｌ」フィールドの値と上記ＵＲＬとの間に所定の相関性（例えば、ドメインアドレスに併せて、フォルダの階層構造が一致し、かつファイル名の所定の部位に共通性がある。）がある。
【００６４】
(2) 抽出された特定のレコードの「ルーティング情報ｒｉ」フィールドの値を取得する（図２(b)，図３ステップＳ２)。
(3) その値に併せて、従来例と同様に予め組み込まれたルーティング情報を適用することにより、上記ＵＲＬのアドレス解決を図り、その結果として得られたＩＰアドレスを取得する（図２(c)，図３ステップＳ３)。
【００６５】
(4) 既述のパケットに含まれるＵＲＬを上記ＩＰアドレスで置換する（図２(10)，図３ステップＳ４)。
(5) このような置換の下で得られたパケットをルータ５３に引き渡す（図２(11)，図３ステップＳ５)。
【００６６】
なお、上記アドレス解決のために参照されるルーティング情報については、プロキシサーバ５２は、そのプロキシサーバ５２に組み込まれたルーティング情報だけでは不足であることを識別すると、優先フラグＦｐの論理値に応じて選択される外部通信回線系７０（ＤＮＳサーバ７２）またはインマルサット回線系６０（ＤＮＳサーバ６２）と、適宜ルータ５３を介して連係することにより取得する。
【００６７】
ルータ５３は、インマルサット回線系６０と外部通信回線系７０との何れか一方を選択し（図２(12))、さらに、インタネット８０と連係することにより、既述の所望のウェブサーバ（ウェブサイト）に、このようにして引き渡されたパケットを引き渡す（図２(13))。
【００６８】
すなわち、パソコン５１-c（ブラウザ）に設定されたＵＲＬは、インタネット８０上にある所望のウェブサイト（ウェブサービス）に付与されたものであるならば、そのインタネット８０に対するアクセスに供されるアクセスネットワークがインマルサット回線系６０と外部通信回線系７０との何れである場合であっても、そのアクセスネットワークに適したアドレス解決が自動的に図られる。
【００６９】
したがって、本実施形態によれば、インマルサット回線系６０と外部通信回線系７０との内、通信料が比較的高くて伝送品質が必ずしも十分に高いとは限らないインマルサット回線系６０がインタネット８０に対するアクセスネットワークとして適用される頻度が自動的に低く抑えられる。
【００７０】
また、パソコン５１-1〜５１-nの何れにおいても、従来例に比べて、上記アクセスネットワークの如何に関わらずＵＲＬの再設定等の煩雑な操作から解放され、しかも、ユーザが意図することなくインマルサット回線系６０に対して行われたアクセスに起因する無用な課金が回避される。
【００７１】
さらに、本実施形態によれば、外部通信回線系７０が正常に稼働しているときには、インマルサット回線系６０は、アクセスネットワークとしての適用の候補から除外される。
【００７２】
したがって、例えば、本発明が適用された船舶が港に寄港しているとき、あるいは接岸中における通信料が確度高く安定に節減される。
【００７３】
なお、本実施形態では、アクセスネットワークがインマルサット回線系６０と外部通信回線系７０との何れか一方に設定されている。
【００７４】
しかし、本発明は、このような構成に限定されず、以下の何れもが可能であるならば、アクセスネットワークの候補が３つ以上である場合にも、同様に適用可能である。
【００７５】
(1) 料金、伝送品質、輻輳の程度、伝送速度等々の属性の監視
(2) これらの属性の組み合わせに基づいてアクセスネットワークとして適用（選択）されるべき優先度の決定
【００７６】
また、本実施形態では、インマルサット回線系６０が外部通信回線系７０より優先的にアクセスネットワークとして適用される契機や状態は、例えば、既述の「エコー応答」が受信されない等のように、その外部通信回線系７０が正常に作動していない事象として識別されている。
【００７７】
しかし、このような契機や状態は、例えば、既述の料金、伝送品質、輻輳の程度、伝送速度等々の属性と、インマルサット回線系６０や外部通信回線系７０が自立的に引き渡すステータスとの如何なる組み合わせとして識別されてもよい。
【００７８】
さらに、本実施形態では、船内ネットワークシステムは、別体のプロキシサーバ１１、ルータ５３、経路監視部５４、ＦＢＢ回線制御部５５、ＬＡＮ５６および外部通信装置５７から構成されている。
【００７９】
しかし、本発明はこのような構成に限定されず、これらのプロキシサーバ１１、ルータ５３、経路監視部５４、ＦＢＢ回線制御部５５、ＬＡＮ５６および外部通信装置５７は如何なる組み合わせで一体化されてもよい。特に、プロキシサーバ１１、ルータ５３および経路監視部５４については、縮退化、機能分散、負荷分散の何れもが如何なる形態で図られてもよい。
【００８０】
また、本実施形態では、プロキシサーバ１１は、既述のアドレス解決の下でルータ５３と連係することにより、インマルサット回線系６０と外部通信回線系７０との何れか一方をアクセスネットワークとして適用している。
【００８１】
しかし、本発明はこのような構成に限定されず、パソコン５１-cによって与えられたＵＲＬの所定の部位、またはこれにかわる制御情報に基づいて行う簡便な処理の下で、上記アクセスネットワークの選択が同様に行われてもよい。
【００８２】
さらに、本発明では、既述のアドレス解決は、船内ネットワークシステムと、インマルサット回線系６０または外部通信回線系７０との間におけるＩＰアドレスの変換（マッピング）に限定されず、船内ネットワークシステムと他の異なるネットワークとの間における異なる体系のアドレスの変換（例えば、ＩＰアドレスとＡＴＭアドレスとの間における相互変換）であってもよい。
【００８３】
また、本実施形態では、プロキシサーバ１１は、パソコン５１-cに代わって、ルータ５３および既述のアクセスネットワークを介してインタネット８０にアクセスしている。
【００８４】
しかし、本発明はこのような構成に限定されず、例えば、パソコン５１-1〜５１-nの台数ｎ、または、これらのパソコン５１-1〜５１-nの内、並行して稼働するパソコンの台数が「１」である場合には、パソコン５１-1〜５１-nの何れもプロキシサーバ１１として機能してもよい。
【００８５】
さらに、本実施形態では、パソコン５１-cからインタネット８０上のウェブサーバ（ウェブサービス）宛にパケットが転送される過程のみにおける各部の連係が開示されている。
【００８６】
しかし、本発明は、このような一方向におけるパケットの転送に限定されず、上記ウェブサーバ（ウェブサービス）によってパソコン５１-c宛に送信されたパケットの転送にも同様に適用可能である。
【００８７】
また、これらのパソコン５１-cとウェブサーバ（ウェブサービス）との間で相互に引き渡されるパケットの列からなるセッションやコネクションの確立および維持については、如何なる技術の適用により実現されてもよい。
【００８８】
さらに、本発明は、上述した実施形態に限定されず、本発明の範囲において多様な実施形態の構成が可能であり、構成要素の全てまたは一部に如何なる改良が施されてもよい。
【符号の説明】
【００８９】
１１，５２  プロキシサーバ
１１Ｔ  ルーティングテーブル
５１  パソコン
５３  ルータ
５４  経路監視部
５５  ＦＢＢ回線制御部
５６  ＬＡＮ
５７  外部通信装置
６０  インマルサット回線系
６１，７１  ＩＰ網
６２，７２  ＤＮＳサーバ
７０  外部通信回線系
８０  インタネット
【図１】
2013223021.tif 000003
【図２】
2013223021.tif 000004
【図３】
2013223021.tif 000005
【図４】
2013223021.tif 000006
【図５】
2013223021.tif 000007
【図６】
2013223021.tif 000008